(57)【特許請求の範囲】
【請求項１】
画像データを送信する送信装置と、
前記送信装置に接続され、前記画像データを受信する受信装置と、
前記受信装置が受信した画像データが示す画像を表示する表示装置と、
を有し、
前記受信装置は、
接続コードを生成し、前記送信装置との接続に用いるセキュリティ・キーを前記接続コードから生成し、
前記表示装置は、
前記接続コードを表示し、
前記送信装置は、
入力された前記接続コードから前記セキュリティ・キーを生成し、該セキュリティ・キーを用いて前記受信装置と接続し、
前記受信装置は、
接続されている全ての前記送信装置による利用が終了した場合、それら全ての前記送信装置との接続を切断した後、新たな接続コードを生成して前記セキュリティ・キーを更新すると共に、新たに生成した接続コードを前記表示装置に表示させ、
前記表示装置で前記画像が表示されている状態は、前記受信装置が前記送信装置で利用されている状態であり、前記送信装置による前記受信装置の利用が終了した状態は、接続されている全ての前記送信装置からの前記画像データの送信が停止され、前記表示装置で前記画像が表示されていない状態である表示システム。
【請求項２】
請求項１に記載の表示システムにおいて、
前記受信装置は、
接続されている全ての前記送信装置による利用が終了した場合、予め設定された猶予時間が経過した後、新たな接続コードを生成して前記セキュリティ・キーを更新する表示システム。
【請求項３】
画像データを送信する送信装置に接続され、前記画像データを受信する通信部と、
接続コードを生成する接続コード生成部と、
前記送信装置との接続に用いるセキュリティ・キーを前記接続コードから生成するセキュリティ・キー生成部と、
前記接続コードを出力する表示出力部と、
を有し、
接続されている全ての前記送信装置による利用が終了した場合、それら全ての前記送信装置との接続が切断された後、前記接続コード生成部は新たな接続コードを生成し、前記表示出力部は前記接続コード生成部で新たに生成された接続コードを表示装置に出力して表示させ、前記セキュリティ・キー生成部は前記接続コード生成部で新たに生成された接続コードから前記セキュリティ・キーを更新し、
前記表示装置で前記画像データが示す画像が表示されている状態は、前記送信装置で利用されている状態であり、前記送信装置による利用が終了した状態は、接続されている全ての前記送信装置からの前記画像データの送信が停止され、前記表示装置で前記画像が表示されていない状態である受信装置。
【請求項４】
請求項３に記載の受信装置と、
前記受信装置から出力された接続コードを受信する表示入力部と、
前記表示入力部で受信した接続コードを表示する表示部と、
を有する表示装置。
【請求項５】
受信装置が実行する通信接続方法であって、
接続コードを生成するステップと、
画像データを送信する送信装置との接続に用いるセキュリティ・キーを前記接続コードから生成するステップと、
前記接続コードを表示装置へ送信するステップと、
を有し、
接続されている全ての前記送信装置による利用が終了した場合、それら全ての前記送信装置との接続を切断した後、新たな接続コードを生成して、新たに生成した接続コードを表示装置に出力して表示させると共に、新たに生成した接続コードから前記セキュリティ・キーを更新し、
前記表示装置で前記画像データが示す画像が表示されている状態は、前記受信装置が前記送信装置で利用されている状態であり、前記送信装置による前記受信装置の利用が終了した状態は、接続されている全ての前記送信装置からの前記画像データの送信が停止され、前記表示装置で前記画像が表示されていない状態である通信接続方法。
【請求項６】
接続コードを生成する生成ステップと、
前記接続コードを表示するステップと、
前記接続コードが入力された送信装置に接続される接続ステップと、
前記送信装置から送信される画像データを受信するステップと、
接続されている全ての前記送信装置による利用が終了した場合、それら全ての前記送信装置との接続を切断した後、新たな接続コードを生成して表示する更新ステップと、
を有し、
前記画像データが示す画像を表示している状態は、前記送信装置で利用されている状態であり、前記送信装置による利用が終了した状態は、接続されている全ての前記送信装置からの前記画像データの送信が停止され、前記画像を表示していない状態である通信接続方法。
【請求項７】
前記接続ステップにおいて、前記送信装置に入力された前記接続コードから生成されるセキュリティ・キーが、前記生成ステップにおける前記接続コードから生成されるセキュリティ・キーと一致する場合に、前記送信装置に接続される請求項６に記載の通信接続方法。
【請求項８】
接続コードを生成する接続コード生成部と、
前記接続コードを表示する表示部と、
前記接続コードが入力された送信装置と接続し、接続されている全ての前記送信装置による利用が終了した場合、それら全ての前記送信装置との接続を切断した後、前記接続コード生成部に新たな接続コードを生成させ、該新たな接続コードを表示部に表示させる制御部と、
前記送信装置から送信される画像データを受信する通信部と、
を有し、
前記画像データが示す画像を表示している状態は、前記送信装置で利用されている状態であり、前記送信装置による利用が終了した状態は、接続されている全ての前記送信装置からの前記画像データの送信が停止され、前記画像を表示していない状態である表示装置。
【発明の詳細な説明】
【技術分野】
【０００１】
本発明は、送信装置、受信装置及び表示装置を備える表示システム及びその通信接続方法に関する。
【背景技術】
【０００２】
近年、パーソナルコンピュータやタブレット端末、あるいはスマートフォン等の端末装置とプロジェクタや大型のディスプレイ装置等の表示装置とを無線ＬＡＮ（Local Area Network）等で接続し、該表示装置によって端末装置から送信された画像を表示できる技術が開発されている。【０００３】
また、近年では１台の表示装置に対して複数の端末装置を同時に接続し、１台または複数台の端末装置から送信された画像データが示す画像を表示装置に表示させる使用形態も増えてきている。このような使用形態は、例えば表示装置が無線ＬＡＮアクセスポイントとしての機能を備えていれば実現できる。その場合、各ユーザが備える端末装置は、ルーター等を介さずに直接画像データを表示装置へ送信できる。なお、無線ＬＡＮアクセスポイントに対する接続及び無線ＬＡＮアクセスポイントを介した通信サービスの利用を可能にする技術は、例えば特許文献１に記載されている。【０００４】
しかしながら、無線ＬＡＮアクセスポイントに対する接続設定は多くのユーザには未だ難易度の高い作業である。そのため、例えば予め設定されたＰＩＮ（Personal/Product Identification number）コード等を入力することで、端末装置から無線ＬＡＮアクセスポイントに自動で接続できる手法等が検討されてきた。【０００５】
ところで、無線ＬＡＮアクセスポイントは、通常、現在接続されている端末装置の情報を記憶テーブルで保存している。この記憶テーブルで保存可能な端末装置数は有限であり、そのため無線ＬＡＮアクセスポイントに同時に接続可能な端末装置数は１０台程度から多くても５０台程度に制限される。また、無線ＬＡＮアクセスポイントは、端末装置が一旦接続されると、該端末装置を所持するユーザが切断操作を実行しない限り、該無線ＬＡＮアクセスポイントからの電波が届かなくなるまで接続が維持される特徴もある。【０００６】
無線ＬＡＮアクセスポイントに同時に接続可能な端末装置数は、個人や家庭内で使用するには十分であるが、企業や学校等のように大勢のユーザが使用する場合は直ぐに上限に到達してしまう。
例えば、ある会議室に設置された無線ＬＡＮアクセスポイントの機能を備えたプロジェクタの接続上限数が１５であり、該会議室を含むオフィス内の比較的広い範囲に該プロジェクタからの電波が届く場合を考える。この場合、該会議室にて端末装置を所持する１０人の社員がプロジェクタを用いて会議を行い、その後、別の１０人の社員が該会議室にてプロジェクタを用いて会議を行うと、５人の社員の所持する端末装置がプロジェクタに接続できない可能性がある。【０００７】
すなわち、先に接続していた端末装置との接続状態が維持されると、無線ＬＡＮアクセスポイントの接続上限数に起因して、以降に接続する端末装置の接続可能数が低減するという課題が発生する。
【先行技術文献】
【特許文献】
【０００８】
【特許文献１】特開２００５−１１７４８８号公報
【発明の概要】
【０００９】
本発明は上記課題を解決できる表示システム、受信装置、表示装置及び通信接続方法を提供することを目的とする。
【００１０】
上記目的を達成するため本発明の表示システムは、画像データを送信する送信装置と、
前記送信装置に接続され、前記画像データを受信する受信装置と、
前記受信装置が受信した画像データが示す画像を表示する表示装置と、
を有し、
前記受信装置は、
接続コードを生成し、前記送信装置との接続に用いるセキュリティ・キーを前記接続コードから生成し、
前記表示装置は、
前記接続コードを表示し、
前記送信装置は、
入力された前記接続コードから前記セキュリティ・キーを生成し、該セキュリティ・キーを用いて前記受信装置と接続し、
前記受信装置は、
接続されている全ての前記送信装置による利用が終了した場合、それら全ての前記送信装置との接続を切断した後、新たな接続コードを生成して前記セキュリティ・キーを更新すると共に、新たに生成した接続コードを前記表示装置に表示させ、
前記表示装置で前記画像が表示されている状態は、前記受信装置が前記送信装置で利用されている状態であり、前記送信装置による前記受信装置の利用が終了した状態は、接続されている全ての前記送信装置からの前記画像データの送信が停止され、前記表示装置で前記画像が表示されていない状態である。
【００１１】
本発明の受信装置は、画像データを送信する送信装置に接続され、前記画像データを受信する通信部と、
接続コードを生成する接続コード生成部と、
前記送信装置との接続に用いるセキュリティ・キーを前記接続コードから生成するセキュリティ・キー生成部と、
前記接続コードを出力する表示出力部と、
を有し、
接続されている全ての前記送信装置による利用が終了した場合、それら全ての前記送信装置との接続が切断された後、前記接続コード生成部は新たな接続コードを生成し、前記表示出力部は前記前記接続コード生成部で新たに生成された接続コードを表示装置に出力して表示させ、前記セキュリティ・キー生成部は前記接続コード生成部で新たに生成された接続コードから前記セキュリティ・キーを更新し、
前記表示装置で前記画像データが示す画像が表示されている状態は、前記送信装置で利用されている状態であり、前記送信装置による利用が終了した状態は、接続されている全ての前記送信装置からの前記画像データの送信が停止され、前記表示装置で前記画像が表示されていない状態である。
【００１２】
本発明の表示装置は、
上記受信装置と、
前記受信装置から出力された接続コードを受信する表示入力部と、
前記表示入力部で受信した接続コードを表示する表示部と、
を有する。
または、接続コードを生成する接続コード生成部と、
前記接続コードを表示する表示部と、
前記接続コードが入力された送信装置と接続し、接続されている全ての前記送信装置による利用が終了した場合、それら全ての前記送信装置との接続を切断した後、前記接続コード生成部に新たな接続コードを生成させ、該新たな接続コードを表示部に表示させる制御部と、
前記送信装置から送信される画像データを受信する通信部と、
を有し、
前記画像データが示す画像を表示している状態は、前記送信装置で利用されている状態であり、前記送信装置による利用が終了した状態は、接続されている全ての前記送信装置からの前記画像データの送信が停止され、前記画像を表示していない状態である。
【００１３】
本発明の通信接続方法は、受信装置が実行する通信接続方法であって、
接続コードを生成するステップと、
画像データを送信する送信装置との接続に用いるセキュリティ・キーを前記接続コードから生成するステップと、
前記接続コードを表示装置へ送信するステップと、
を有し、
接続されている全ての前記送信装置による利用が終了した場合、それら全ての前記送信装置との接続を切断した後、新たな接続コードを生成して、新たに生成した接続コードを表示装置に出力して表示させると共に、新たに生成した接続コードから前記セキュリティ・キーを更新し、
前記表示装置で前記画像が表示されている状態は、前記受信装置が前記送信装置で利用されている状態であり、前記送信装置による前記受信装置の利用が終了した状態は、接続されている全ての前記送信装置からの前記画像データの送信が停止され、前記表示装置で前記画像が表示されていない状態である。
または、接続コードを生成する生成ステップと、
前記接続コードを表示するステップと、
前記接続コードが入力された送信装置に接続される接続ステップと、
前記送信装置から送信される画像データを受信するステップと、
接続されている全ての前記送信装置による利用が終了した場合、それら全ての前記送信装置との接続を切断した後、新たな接続コードを生成して表示する更新ステップと、
を有し、
前記画像データが示す画像を表示している状態は、前記送信装置で利用されている状態であり、前記送信装置による利用が終了した状態は、接続されている全ての前記送信装置からの前記画像データの送信が停止され、前記画像を表示していない状態である。
【図面の簡単な説明】
【００１４】
【図１】図１は、本発明の表示システムの一構成例を示すブロック図である。
【図２】図２は、図１に示した受信装置の一構成例を示すブロック図である。
【図３Ａ】図３Ａは、図１に示した表示装置の一構成例を示すブロック図である。
【図３Ｂ】図３Ｂは、表示装置の他の構成例を示すブロック図である。
【図４】図４は、図１に示した送信装置の一構成例を示すブロック図である。
【図５】図５は、図１に示した受信装置の処理の一例を示すフローチャートである。
【図６】図６は、図１に示した送信装置の処理の一例を示すフローチャートである。
【発明を実施するための形態】
【００１５】
次に本発明について図面を参照して説明する。
図１は、本発明の表示システムの一構成例を示すブロック図である。
図１に示すように、本発明の表示システムは、無線ＬＡＮアクセスポイントとしての機能を有する受信装置１と、受信装置１と無線ＬＡＮで接続される送信装置２と、受信装置１を介して送信装置２から送信された画像データが示す画像を表示する表示装置３とを有する。図１では、受信装置１と表示装置３とを個別に備える構成例を示しているが、受信装置１の機能は表示装置３に備えていてもよい。
【００１６】
受信装置１は、送信装置２及び表示装置３とデータを送受信するための通信機能を備えた装置である。上述したように受信装置１と送信装置２とは無線ＬＡＮで接続される。受信装置１と表示装置３とは、周知の通信方式で接続されていればよく、有線または無線で接続される。
【００１７】
送信装置２は、例えば、無線ＬＡＮによりデータを送受信するための通信機能を備えたパーソナルコンピュータやタブレット端末、あるいはスマートフォン等のユーザが所持する端末装置である。表示装置３は、例えば、プロジェクタや大型のディスプレイ装置等であり、送信装置２から受信装置１を経由して送信された画像データが示す画像を表示する。
【００１８】
受信装置１及び送信装置２には、予め共通の専用プログラム（アプリケーションプログラム）がインストールされており、該専用プログラムにしたがってそれぞれ処理を実行することで、送信装置２から受信装置１に対する無線ＬＡＮによる接続を可能にする。本発明では、受信装置１でランダムに接続コードを生成し、該接続コードを表示装置３に表示させる。また、受信装置１では、送信装置２が該受信装置１に無線ＬＡＮで接続するためのセキュリティ・キーを該接続コードから生成する。
【００１９】
接続コードには、例えば４桁の整数を用いる。接続コードは、４桁の整数に限定する必要はなく、その他の桁数、あるいはアルファベットや記号等を含むコードを用いてもよい。但し、接続コードは、後述するように、いわゆる一時的な暗証番号として用いるものであるため、少ない桁数では不正アクセスの要因となり、多い桁数や複雑なコードはユーザによる誤入力の要因となる。
【００２０】
ユーザは、送信装置２を受信装置１に接続する場合、該送信装置２の無線ＬＡＮ機能をオンさせて、アクセス（接続）可能な無線ＬＡＮアクセスポイント（受信装置１）を検索する。送信装置２は、アクセス（接続）可能な無線ＬＡＮアクセスポイント（受信装置１）がある場合は、それらのＳＳＩＤ（Service Set Identifier）を表示する。ユーザは、送信装置２で検索された無線ＬＡＮアクセスポイント（受信装置１）の一覧から接続する受信装置１を選択し、上記専用プログラムに基づく送信装置２の画面指示にしたがって、表示装置３に表示された上記接続コードを送信装置２に入力する。なお、送信装置２は、ＳＳＩＤにより接続する受信装置１が選択されなくても、入力された接続コードに基づいて接続する受信装置１を選択してもよい。
【００２１】
送信装置２は、ユーザによって接続コードが入力されると、該接続コードから受信装置１との接続に用いるセキュリティ・キーを生成する。上述したように、本発明では受信装置１及び送信装置２が共通の専用プログラムにしたがって処理を実行することで、受信装置１で生成するセキュリティ・キーと、送信装置２で生成するセキュリティ・キーとが一致する。送信装置２は、生成したセキュリティ・キーを、ユーザが選択した受信装置１へ送信する。受信装置１は、送信装置２から受信したセキュリティ・キーが、自装置で生成したセキュリティ・キーと一致する場合、該送信装置２と無線通信可能に接続する。
なお、受信装置１と送信装置２とはセキュリティ・キーを用いずに接続してもよい。例えば、送信装置２は入力された接続コードを受信装置１へ送信し、受信装置１は自装置で生成した接続コードと送信装置２から受信した接続コードとが一致する場合、該送信装置２と無線通信可能に接続してもよい。
【００２２】
また、本発明の受信装置１は、接続している送信装置２が該受信装置１を利用しているか否かを監視し、接続している全ての送信装置２が該受信装置１を利用していないと判断した場合は、新たな接続コードを再度生成してセキュリティ・キーを更新する。このようにすることで、受信装置１は、接続コードを再生成する前に接続していた全ての送信装置２との接続を切断できる。そのため、受信装置１は、新たに接続上限数までの送信装置２による接続を受け入れ可能になる。
【００２３】
なお、本明細書における「接続」とは、無線ＬＡＮアクセスポイント（受信装置１）に対する「接続」を示し、送信装置２が受信装置１と無線ＬＡＮで接続され、送信装置２にＩＰアドレスが割り当てられて受信装置１と通信が可能な状態を指す。また、本明細書における「利用」とは、送信装置２が受信装置１の機能を使用することであり、例えば、ユーザが、送信装置２が備える画像データを受信装置１へ送信し、受信装置１に該画像データを表示装置３に出力させることを指す。ここで、送信装置２から画像データを受信装置１へ送信することが「利用開始」であり、画像データの送信を停止することが「利用終了」となる。但し、「利用終了」とは、送信装置２から画像データの送信を一時的に停止することではなく、完全に停止することを指す。
【００２４】
受信装置１が、複数の送信装置２と接続されている状態で、任意の送信装置２から送信された画像データを他の送信装置２へ配信できる機能を有する場合、各送信装置２に画像データを配信して表示させている間も受信装置１の機能を「利用」している状態となる。受信装置１から各送信装置２に、画像データだけでなく、ファイルやその他のデータを配信している状態も同様である。
【００２５】
図２は図１に示した受信装置の一構成例を示すブロック図であり、図３Ａは図１に示した表示装置の一構成例を示すブロック図である。図４は図１に示した送信装置の一構成例を示すブロック図である。
図２に示すように、受信装置１は、接続コード生成部１１、セキュリティ・キー生成部１２、ＳＳＩＤ生成部１３、制御部１４、記憶部１５、表示出力部１６及び通信部１７を有する。
【００２６】
接続コード生成部１１は、制御部１４の指示にしたがって接続コードを生成する。生成された接続コードは、セキュリティ・キー生成部１２へ供給されると共に、制御部１４により画像データに変換されて表示出力部１６へ出力される。
セキュリティ・キー生成部１２は、接続コード生成部１１で生成された接続コードを基にセキュリティ・キーを生成する。セキュリティ・キーは、上記専用プログラムに基づく制御部１４の処理により、セキュリティ・キー生成部１２を用いて、予め決められた規則にしたがって生成される。
【００２７】
ＳＳＩＤ生成部１３は、受信装置１を識別するためのＳＳＩＤを生成する。ＳＳＩＤは、機器名や予め設定された文字列を用いてもよく、受信装置１の管理者等によって変更可能であってもよい。
記憶部１５は、上記専用プログラムを保存すると共に、接続コード生成部１１で生成された接続コード、セキュリティ・キー生成部１２で生成されたセキュリティ・キー、ＳＳＩＤ生成部１３で生成されたＳＳＩＤ、現在接続されている送信装置２の情報等を保持する。
【００２８】
表示出力部１６は、表示装置３と情報を送受信するための通信装置であり、制御部１４から転送された、接続コード生成部１１で生成された接続コードを示す画像データを表示装置３へ出力する。また、表示出力部１６は、通信部１７で受信した、送信装置２から送信された画像データを表示装置３へ出力する。
通信部１７は、送信装置２と無線ＬＡＮで接続するための通信装置である。ＳＳＩＤ生成部１３で生成されたＳＳＩＤ及びセキュリティ・キー生成部１２で生成されたセキュリティ・キーは、受信装置１（通信部１７）を無線ＬＡＮアクセスポイントとして利用するためのネットワーク情報として用いられる。
【００２９】
制御部１４は、接続コード生成部１１、セキュリティ・キー生成部１２、ＳＳＩＤ生成部１３、記憶部１５、表示出力部１６及び通信部１７を含む、受信装置１全体の動作を制御する。制御部１４は、ＣＰＵ（Central Processing Unit）を備え、記憶部１５に格納された専用プログラムにしたがって該ＣＰＵにより処理を実行することで、本発明の受信装置１としての機能を実現する。
【００３０】
図３Ａに示す表示装置３は、表示入力部３１、制御部３２及び表示部３３を有する。
表示入力部３１は、受信装置１の表示出力部１６から出力された接続コードを示す画像データ、並びに受信装置１から出力された、送信装置２から送信された画像データを受信する。
【００３１】
表示部３３は、表示入力部３１で受信した画像データが示す画像を表示する。
制御部３２は、表示入力部３１で受信した画像データが示す画像を表示部３３に表示させるための処理を実行する。制御部３２は、ＣＰＵを備え、不図示の記憶装置に格納されたプログラムにしたがって該ＣＰＵにより処理を実行することで、表示装置３としての機能を実現する。
【００３２】
上述したように、表示装置３は、図２に示した受信装置１を備えた構成でもよい。そのような表示装置３の構成例を図３Ｂに示す。図３Ｂは、表示装置の他の構成例を示すブロック図である。
図３Ｂに示す表示装置３は、接続コード生成部１１、セキュリティ・キー生成部１２、ＳＳＩＤ生成部１３、制御部１４、記憶部１５、表示部３３及び通信部１７を有する。
図３Ｂに示す表示装置３は、制御部１４が、図２に示した受信装置１が備える制御部１４及び図３Ａに示した表示装置３が備える制御部３２の機能をそれぞれ有し、図２に示した受信装置１が備える表示出力部１６及び図３Ａに示した表示装置３が備える表示入力部３１を省略した構成である。
図３Ｂに示す接続コード生成部１１、セキュリティ・キー生成部１２、ＳＳＩＤ生成部１３、制御部１４、記憶部１５及び通信部１７は、図２に示した受信装置１が備える接続コード生成部１１、セキュリティ・キー生成部１２、ＳＳＩＤ生成部１３、制御部１４、記憶部１５及び通信部１７と同様の構成であり、表示部３３は図３Ａに示した表示装置３が備える表示部３３と同様の構成であるため、ここではその説明を省略する。
【００３３】
図４に示すように、送信装置２は、セキュリティ・キー生成部２１、制御部２２、入力部２３、記憶部２４及び通信部２５を有する。
入力部２３は、ユーザが送信装置２に各種の指示や情報等を入力するための入力装置である。表示装置３に表示された接続コードは、入力部２３を用いてユーザにより送信装置２に入力される。
【００３４】
セキュリティ・キー生成部２１は、入力部２３を用いてユーザが入力した接続コードからセキュリティ・キーを生成する。セキュリティ・キーは、上記専用プログラムに基づく制御部２２の処理によりセキュリティ・キー生成部２１を用いて予め決められた規則にしたがって生成される。
記憶部２４は、上記専用プログラムを保存すると共に、セキュリティ・キー生成部２１で生成されたセキュリティ・キー、表示装置３に表示させる画像データを含むユーザデータが保存される。
通信部２５は、受信装置１と無線ＬＡＮで接続するための通信装置である。
【００３５】
制御部２２は、入力部２３、セキュリティ・キー生成部２１、記憶部２４及び通信部２５を含む、送信装置２全体の動作を制御する。制御部２２は、ＣＰＵを備え、記憶部２４に格納された専用プログラムにしたがって該ＣＰＵにより処理を実行することで本発明の送信装置２としての機能を実現する。
【００３６】
次に本発明の受信装置及び送信装置の動作について図面を用いて説明する。
図５は図１に示した受信装置の処理の一例を示すフローチャートであり、図６は図１に示した送信装置の処理の一例を示すフローチャートである。
なお、以下に示す受信装置１及び送信装置２の処理は、それぞれが備える制御部１４、２２によって実行されるものとする。
【００３７】
図５に示すように、受信装置１は、ユーザ等によって電源がＯＮされると（ステップＳ１）、まず接続コード生成部１１を用いて接続コードを生成し（ステップＳ２）、セキュリティ・キー生成部１２を用いて該接続コードからセキュリティ・キーを生成する（ステップＳ３）。
【００３８】
次に、受信装置１は、ＳＳＩＤ生成部１３で生成されたＳＳＩＤ及びセキュリティ・キー生成部１２で生成されたセキュリティ・キーを、送信装置２が該受信装置１に接続するためのネットワーク情報として設定し（ステップＳ４）、記憶部１５で保存する。
続いて、受信装置１は、接続コード生成部１１で生成された接続コードを示す画像データを表示装置３へ送信し、表示装置３に該接続コードを表示させる（ステップＳ５）。以降、受信装置１は、送信装置２からの接続を待ち受ける。
【００３９】
図６に示すように、ユーザが、送信装置２が備える専用プログラムを起動すると、送信装置２はユーザによる接続コードの入力有無を判定する（ステップＳ１１）。接続コードが入力されていない場合はステップＳ１１の処理を繰り返してユーザによる接続コードの入力を待ち受ける。
ユーザにより接続する受信装置１が選択されて表示装置３に表示された接続コードが入力されると、送信装置２は、セキュリティ・キー生成部２１を用いて該接続コードからユーザが選択した受信装置１に接続するためのセキュリティ・キーを生成する（ステップＳ１２）。
【００４０】
次に、送信装置２は、生成したセキュリティ・キーをユーザが選択した受信装置１へ送信する（ステップＳ１３）。受信装置１は、送信装置２から受信したセキュリティ・キーと、自装置で生成したセキュリティ・キーとを比較し、それらが一致する場合は、該送信装置２に接続許可を示す信号を送信して該送信装置２と無線通信可能に接続する。送信装置２から受信したセキュリティ・キーと、自装置で生成したセキュリティ・キーとが一致しない場合は、該送信装置２と接続しない。
【００４１】
送信装置２は、セキュリティ・キーを送信した後、所定の時間が経過するまでに受信装置１から接続許可を示す信号が送信された否かを判定する（ステップＳ１４）。送信装置２は、接続許可を示す信号を受信した場合、受信装置１の利用を開始する（ステップＳ１５）。受信装置１から接続許可を示す信号が送信されない場合、例えば送信装置２は接続不許可を表示して（ステップＳ１６）ユーザに通知し、ユーザによる指示入力を待ち受ける。
【００４２】
送信装置２は、受信装置１の利用を開始すると、受信装置１を介して表示装置３に画像データを送信することで、該画像データが示す画像を表示装置３に表示させることができる。また、ユーザは、送信装置２の設定を変更することで、任意のタイミングで送信装置２による受信装置１の利用を終了することができる。但し、ユーザが受信装置１の利用を終了しても、無線ＬＡＮによる送信装置２と受信装置１との接続が切断されるわけではない。
【００４３】
図５に示すように、受信装置１は、新たな送信装置２が接続され、該送信装置２による受信装置１の利用が開始されたか否かを判定し（ステップＳ２１）、該送信装置２による受信装置１の利用が開始されると、利用数を１増加させる（ステップＳ２２）。また、受信装置１は、新たな送信装置２による受信装置１の利用が開始されない場合は、接続中の送信装置２による受信装置１の利用が終了したか否かを判定する（ステップＳ２３）。送信装置２による受信装置１の利用が終了した場合、受信装置１は利用数を１減少させる（ステップＳ２４）。
【００４４】
送信装置２が受信装置１を利用しているか否かは、受信装置１側で判断すればよい。例えば、受信装置１は、接続されている各送信装置２から所定の周期毎に動作状態であることを示す信号を送信させ、該信号を送信しない送信装置２については、受信装置１の利用が終了したと判定すればよい。送信装置２が受信装置１を利用しているか否かの判断方法は、上記の方法に限定されるものではなく、接続中の送信装置２による受信装置１の利用の有無が判定できればどのような方法を用いてもよい。
【００４５】
受信装置１は、ステップＳ２３で送信装置２による受信装置１の利用が終了していないと判定した場合、またはステップＳ２４で利用数を１減少させると、利用数が０であるか否か、すなわち全ての送信装置２による利用が終了したか否かを判定する（ステップＳ２５）。全ての送信装置２による利用が終了していない場合は、ステップＳ２１の処理に戻って該ステップＳ２１からの処理を繰り返す。
【００４６】
また、受信装置１は、全ての送信装置２による利用が終了したと判定した場合、予め設定された猶予時間が経過しているか否かを判定し（ステップＳ２６）、猶予時間が経過していない場合は、ステップＳ２１の処理に戻って該ステップＳ２１からの処理を繰り返す。また、受信装置１は、猶予時間が経過している場合、ステップＳ２の処理に戻って接続コードを再生成し、セキュリティ・キーを更新して（ステップＳ３）、以降の処理を繰り返す。
【００４７】
本発明によれば、ユーザは、表示装置３に表示された接続コードを送信装置２に入力するだけで、受信装置１と接続されて該受信装置１を利用可能になる。したがって、無線ＬＡＮアクセスポイントを有する装置（受信装置１）へ簡易に接続できる。
【００４８】
また、受信装置１では、全ての送信装置２による利用が終了したと判定したときに、新たな接続コードを再生成してセキュリティ・キーを更新する。この場合、接続コードを再生成する前に接続していた全ての送信装置２との接続が切断されるため、受信装置１は、新たに接続上限数までの送信装置２による接続が受け入れ可能となる。そのため、先に接続していた送信装置２との接続状態が維持されることで、以降に接続する送信装置２の接続可能数が低減するという、無線ＬＡＮアクセスポイント（受信装置１）の接続上限数に起因して発生する課題が解決される。
【００４９】
さらに、全てのユーザによる利用が終了したと判定しても、受信装置１は、所定の猶予時間が経過するまで接続コードを再生成しないため、例えば、送信装置２が、意図せずに受信装置１との接続が一時的に切断されても、利用終了と判定されずに接続状態が維持される。そのため、送信装置２は、受信装置１を再度利用する場合に、直ぐに利用可能になる。この猶予時間も任意に設定可能である。
【００５０】
以上、実施形態を参照して本願発明を説明したが、本願発明は上記実施形態に限定されものではない。本願発明の構成や詳細は本願発明のスコープ内で当業者が理解し得る様々な変更が可能である。
【図１】
0006690841.tif 000002
【図２】
0006690841.tif 000003
【図３Ａ】
0006690841.tif 000004
【図３Ｂ】
0006690841.tif 000005
【図４】
0006690841.tif 000006
【図５】
0006690841.tif 000007
【図６】
0006690841.tif 000008